(57)【要約】【課題】主電源スイッチオフから供給電源オフまでの待ち時間が一定時間を越えないようにする。【解決手段】主電源スイッチのオフ後に動作終了処理を行って装置への供給電源をオフする画像処理装置であって、主電源スイッチのオフを検知したとき（Ｓ１０１）動作終了処理に要する処理時間を計算し（Ｓ１０２）、計算した前記処理時間が予め既定した既定時間内であるか否かにより（Ｓ１０３）、全ての動作終了処理を実施するか（Ｓ１０４〜Ｓ１０７）或いは予め定めた処理のみを実施するかを判断する。予め定めた処理のみを実施する場合の残りの処理は供給電源を遮断した後、再度装置への電源が投入されて装置が正常起動したときに実施する（Ｓ１０８〜Ｓ１１２）。【選択図】    図２
2011049624.tif 000002
【特許請求の範囲】
【請求項１】
供給電源を遮断するため、主電源スイッチのオフを検知して行う動作終了処理を制御する制御手段を備えた画像処理装置であって、
前記制御手段は、主電源スイッチのオフを検知したとき、前記動作終了処理に要する処理時間を計算する計算手段を有し、前記計算手段で計算した前記処理時間が予め既定した既定時間内であるとき、全ての動作終了処理を実施し、計算した動作終了処理時間が予め既定した既定時間を越えるとき、予め定めた処理のみを実施して前記供給電源を遮断し、かつ再度機器への電源が投入されて機器が正常起動したとき、残りの処理を実施するよう前記動作終了処理の実施制御を行うことを特徴とする画像処理装置。
【請求項２】
請求項１記載の画像処理装置において、
前記制御手段は、前記計算した動作終了処理時間が予め既定した既定時間を越えるとき、前記予め定めた処理以外の処理を、電源遮断前に実施する処理と電源遮断後に実施する残りの処理とに分別して、それぞれ電源遮断前及び再度画像処理装置に電源が投入され正常起動した後に実施するよう動作終了処理の実施制御を行うことを特徴とする画像処理装置。
【請求項３】
請求項１又は２に記載された画像処理装置において、
前記制御手段は画像処理装置が使用されているか否かを検知し、前記検知に基づき前記残りの処理を画像処理装置が使用されていないときに実施するよう制御することを特徴とする画像処理装置。
【請求項４】
請求項２又は３に記載された画像処理装置において、
前記残りの処理の分別は、搭載する機器及び予め設定された設定情報に基づき、前記制御手段が行うことを特徴とする画像処理装置。
【請求項５】
請求項１ないし４に記載された画像処理装置において、
動作終了処理中の処理内容及び処理状況を表示する表示手段を有することを特徴とする画像処理装置。
【請求項６】
請求項１ないし５に記載された画像処理装置において、
動作終了処理中に画像処理装置に異常が発生して動作終了処理が完了できないとき、異常を表示する表示手段を有することを特徴とする画像処理装置。
【請求項７】
請求項１ないし６に記載された画像処理装置において、
動作終了処理中に画像処理装置に異常が発生して動作終了処理が完了できないとき、ユーザにより強制的に画像処理装置の電源をオフする電源オフ手段を有することを特徴とする画像処理装置。
【請求項８】
供給電源を遮断するため、主電源スイッチのオフを検知して行う画像処理装置における動作終了処理方法であって、
主電源スイッチのオフを検知したとき、前記動作終了処理に要する処理時間を計算する計算工程と、前記計算工程で計算した前記処理時間が予め既定した既定時間内であるとき、全ての動作終了処理を実施し、計算した動作終了処理時間が予め既定した既定時間を越えるとき、予め定めた処理のみを実施して前記供給電源を遮断する工程と、再度機器への電源が投入されて機器が正常起動したとき、残りの処理を実施することを特徴とする画像処理装置における動作終了処理方法。
【発明の詳細な説明】
【技術分野】
【０００１】
本発明は画像処理装置に関し、とくに電源の遮断（シャットダウン）に特徴を有する画像処理装置及び画像処理装置における動作終了処理方法に関するものである。
【背景技術】
【０００２】
近年、オフィスなどにおいて使用される複写機やプリンタなどの様々な機能を１台に組み込む複合化が進展している。例えば、複写機の内部に画像処理機能を有するプリンタコントローラを組み込み、１台で複写機とプリンタとの両方の機能を有するデジタル複合機（Multi Function Peripheral,：ＭＦＰ）と呼ばれる画像処理装置が上市されている。このような複合機においては、ファクス機能などが更に追加され多機能化が進んでいる。
【０００３】
ところで、このようなデジタル複合機を含む画像処理装置には、未使用時の消費電力を抑えるためにスリープモードを備えたものがあるが、スリープモードにおいてもわずかながら電力を消費するため、ユーザによっては本体電源を遮断する場合がある。
また、近年はセキュリティ意識が向上したことにより、セキュリティの観点から、デジタル複写機の使用者が使用後に本体の電源を遮断したいという要望も増えてきている。
【０００４】
しかし、画像処理装置が実施するジョブが完了していないときに、画像処理装置の電源を遮断すると、画像処理装置が書き込んだつもりのデータがデバイスに正しく書き込まれておらず、再度電源を投入したときに機器とのデータ不整合により、画像処理装置が正しく起動できないなどの不具合が発生することがある。
【０００５】
また、同様に、本来消去しなければならないデータ（コピー、プリント、ファックス送受信などを実施した後にデバイスに書き込まれたデータ）が消去できないまま電源が遮断されたり、シャットダウン時のログを取得できないまま電源が遮断される等の不具合が発生することもある。
【０００６】
このようなデバイスデータの不整合などの不具合は、主電源スイッチのオフを検知した後に、動作終了処理を完了させて電源を遮断するようにする、即ち、画像処理装置に機器の動作終了処理を実施する制御手段と、主電源スイッチのオフ／オン（オン又はオフ）を検出する検出手段と、主電源スイッチのオフを検出した後、さらに動作終了処理を完了させた後に画像処理装置への供給電源をオフする手段を設けることで解消することができる。
しかしながら、上記画像処理装置において、主電源スイッチのオフを検出した後の動作終了処理に要する時間は画像処理装置が実施する動作終了処理内容により異なり、最低限実施しなければならないデバイスへのアクセス禁止処理に加えて、コピー、プリント、ファックス送受信などを実施した後にデバイスに書き込まれたデータの削除処理、メモリに書き込まれたセキュリティ情報の消去処理、シャットダウン時のログを取得する処理などがあり、それら全ての処理を実施するためには相当の時間が必要となる。
【０００７】
そのため、主電源スイッチをオフしたユーザが機器の電源が切れたことを確認するためには、全ての処理が終了するまで相当長い時間待つ必要がある。
なお、特許文献１には、シャットダウン指示が入力された場合には、実施中のジョブがあるか否か、待機中のジョブがあるか否かを判断し、実施中のジョブがあればこのジョブに係る情報、待機中のジョブがあればこのジョブに係る情報を一覧表示する。一覧表示するとともに一時停止可能なジョブは停止し、かつ新規ジョブを制限するシャットダウンに係る制御処理を行うものが記載されている。しかし、この発明は本発明とは具体的な目的、構成が相違し、上記従来の問題を解決するものではない。
【発明の概要】
【発明が解決しようとする課題】
【０００８】
本発明は上記従来の問題を解決すべくなされたものであって、その目的は、画像処理装置において、従来のように主電源の遮断に伴う不具合を発生させずに、しかも、主電源スイッチのオフを検出した後に動作終了するまでの待ち時間が所定の時間を超えることがないようにすることである。
【課題を解決するための手段】
【０００９】
本願の発明は、供給電源を遮断するため、主電源スイッチのオフを検知して行う動作終了処理を制御する制御手段を備えた画像処理装置であって、前記制御手段は、主電源スイッチのオフを検知したとき、前記動作終了処理に要する処理時間を計算する計算手段を有し、前記計算手段で計算した前記処理時間が予め既定した既定時間内であるとき、全ての動作終了処理を実施し、計算した動作終了処理時間が予め既定した既定時間を越えるとき、予め定めた処理のみを実施して前記供給電源を遮断し、かつ再度機器への電源が投入されて機器が正常起動したとき、残りの処理を実施するよう前記動作終了処理の実施制御を行うことを特徴とする。
また、本願の他の発明は、供給電源を遮断するため、主電源スイッチのオフを検知して行う画像処理装置における動作終了処理方法であって、主電源スイッチのオフを検知したとき、前記動作終了処理に要する処理時間を計算する計算工程と、前記計算工程で計算した前記処理時間が予め既定した既定時間内であるとき、全ての動作終了処理を実施し、計算した動作終了処理時間が予め既定した既定時間を越えるとき、予め定めた処理のみを実施して前記供給電源を遮断する工程と、再度機器への電源が投入されて機器が正常起動したとき、残りの処理を実施することを特徴とする。
【発明の効果】
【００１０】
本発明によれば、従来のように主電源の遮断に伴う不具合を発生させるこことなく、動作終了時における動作終了処理が完了するまでの待ち時間が所定時間を超えることがない。したがって、主電源遮断時における遮断確認のためのユーザの待ち時間を従来に比して短縮することができる。
【図面の簡単な説明】
【００１１】
【図１】本発明の実施形態の画像処理装置のハードウエアの概略構成図である。
【図２】本実施形態の画像処理装置で実施する第１の動作終了処理のフロー図である。
【図３】本実施形態の画像処理装置で実施する第２の動作終了処理のフロー図である。
【図４】本実施形態の画像処理装置で実施する第３の動作終了処理のフロー図である。
【図５】本実施形態の画像処理装置で実施する第４の動作終了処理のフロー図である。
【図６】本実施形態の画像処理装置で実施する第５の動作終了処理のフロー図である。
【図７】本実施形態の画像処理装置で実施する第５の動作終了処理のフロー図である。
【図８】本実施形態の画像処理装置で実施する第６の動作終了処理のフロー図である。
【図９】本実施形態の画像処理装置で実施する第６の動作終了処理のフロー図である。
【図１０】本実施形態の画像処理装置で実施する第７の動作終了処理のフロー図である。
【図１１】本実施形態の画像処理装置で実施する第７の動作終了処理のフロー図である。
【発明を実施するための形態】
【００１２】
以下、添付図面を参照して、本発明の画像処理装置の実施の形態を説明する。
図１は、本実施形態の画像処理装置のハードウエアの概略構成図である。
本実施形態に係る画像処理装置は、図示のように、コントローラ１０、操作パネルを備えた操作部３０、ＦＣＵ（Fax Control Unit）３１、エンジン部３２を備え、複写装置、ファクシミリ装置、印刷装置の機能を有している。
【００１３】
コントローラ１０は本実施形態に係る画像処理装置の動作終了処理を実施する制御手段であって、ＣＰＵ１１、システムメモリ１２、ＮＢ（North Bridge）１３、ＳＢ（South Bridge）１４、コントローラＡＳＩＣ（Application Specific IC）１５、ローカルメモリ１６、ＨＤＤ（Hard Disk Drive）１７、ＮＩＣ（Network Interface card）１８、ＵＳＢインターフェース１９、ＩＥＥＥ１２８４インターフェース２０、入出力制御ＡＳＩＣ２１等を備えている。
【００１４】
ここで、ＮＩＣ１８は画像処理装置をインターネットやＬＡＮ等のネットワークに接続するインターフェースであり、ＵＳＢインターフェース１９、ＩＥＥＥ１２８４インターフェース２０は、各々の規格に準じた入出力インターフェースである。
【００１５】
操作部３０は、操作者からの入力操作を受け付けると共に、操作者に向けたメッセージを表示する表示手段を備えた操作部であり、コントローラ１０の入出力制御ＡＳＩＣ２１に接続されている。また、ＦＣＵ３１およびエンジン部３２はコントローラ１０のコントローラＡＳＩＣ１５にＰＣＩバス３３を介して接続されている。
また、コントローラ１０では、コントローラＡＳＩＣ１５にローカルメモリ１６、ＨＤＤ１７などが接続されていると共に、ＣＰＵ１１とコントローラＡＳＩＣ１５とがＣＰＵチップセットのＮＢ１３を介して接続されている。なお、コントローラＡＳＩＣ１５とＮＢ１３とはＡＧＰ（Accelerated Graphics Port）２３を介して接続されている。ＮＶ―ＲＡＭ２４は入出力制御ＡＳＩＣ２１とシリアルＩ／Ｆにて接続されており、画像処理装置に対する機能設定条件および装置固有の情報などを書き込んでおく不揮発性メモリである。このＮＶ―ＲＡＭ２４をメインコントローラから着脱可能な構造にすれば、コントローラ１０の故障時にＮＶ―ＲＡＭ２４を基板から取り外し、新品の基板に取り替えることで、利用者独自の情報を保持しておくことができる。
【００１６】
ＦＣＵ（Fax Control Unit）３１は、ファクシミリの送信／受信を制御するハードウエア（ＩＣチップ）で、図示しないＮＣＵ（Network Control Unit）、モデム等を介して電話回線と接続して画像の送受信を行う。なお、ＦＣＵ３１はバックアップ用のメモリを有しており、このメモリは、例えば画像処理装置の電源がＯＦＦのときに受信したファクシミリデータを一時的に格納するために利用される。
【００１７】
エンジン部３２は、原稿を光学的に走査してイメージデータに変換するスキャナ（図示せず）を備えた画像形成部で、電子写真やインクジェットの技術を用いて紙等に画像を印刷する。また、エンジン部３２は、受信したファクシミリデータやＩＥＥＥ１２８４インターフェース２０あるいはＮＩＣ（Network Interface card）１８を介して受信したプリントデータも同様に印刷出力することができる。
【００１８】
ＣＰＵ１１は、画像処理装置の全体制御を行うものである。ＮＢ１３は、ＣＰＵ１１、システムメモリ１２、ＳＢ１４、コントローラＡＳＩＣ１５を、またＳＢ１４はＮＩＣ１８、ＵＳＢインターフェース１９、及びＩＥＥＥ１２８４インターフェース２０、入出力制御ＡＳＩＣ２１を接続するためのブリッジである。また、ＮＢ１３はＳＢ１４経由で、ＮＩＣ１８、ＵＳＢインターフェース１９、ＩＥＥＥ１２８４インターフェース２０とＰＣＩバス２２を介して接続されている。つまり、ＳＢ１４は、ＮＢ１３と周辺デバイス等をＰＣＩバス２２を介して接続するためのブリッジである。
【００１９】
システムメモリ１２は、描画用メモリ等として用いるメモリである。ローカルメモリ１６は、コピー用画像バッファ、符号バッファ等として用いるメモリである。コントローラＡＳＩＣ１５は、画像処理用のハードウエア要素を有する画像処理用途向けのＩＣである。また、ＨＤＤ１７は画像データ、文書データ、プログラム等の蓄積のほか、フォントデータやフォームの蓄積などを行うストレージ（補助記憶装置）である。
【００２０】
次に、本実施形態に係るシャットダウン機能のためのハードウエアについて説明する。
主電源スイッチ３５は、本画像処理装置の電源をオフ／オンするためのスイッチである。リレー制御部３４は、本画像処理装置の電源をオフ／オンするリレー回路であり、リレーのオフ／オン制御はソフトウエアにより行う。オフスイッチ３６は、シャットダウン処理が正常に終了できなかった場合、機器の電源が切れなくなってしまうことを防止するための強制オフスイッチである。このスイッチ３６はリレー（Relay）制御部３４に接続されている。ＰＳＵ（Power Supply Unit）３７は、画像処理装置へ電源を供給するユニットで、コントローラ１０、エンジン部３２に電源の供給を行う。
【００２１】
主電源スイッチ３５は入出力制御ＡＳＩＣ２１と接続されており、コントローラ１０は画像処理装置の主電源スイッチ３５のオフ／オンを検知することができる。リレー制御部３４は入出力制御ＡＳＩＣ２１と接続されており、したがって、コントローラ１０よりリレーのオン／オフ制御を行うことができる。
【００２２】
次に、以上で説明した画像処理装置における電源の遮断のための動作について説明する。
即ち、図１の構成において、主電源スイッチ３５がオンされると、画像処理装置に電源が供給されて画像処理装置が起動する。画像処理装置が起動すると、コントローラ１０は、入出力制御ＡＳＩＣ２１を介してリレー（Relay）制御部３４のリレー回路をオンする。リレー回路をオンすると、その後、画像処理装置の主電源スイッチ３５をオフしても画像処理装置の電源は遮断されることはなく、そのため、画像処理装置（コントローラ１０）は主電源スイッチ３５のオフを検知すると動作終了処理を実施することができる。
ここで、動作終了処理が完了すると、入出力制御ＡＳＩＣ２１より、リレー制御部３４のリレー回路をオフし、画像処理装置の電源が遮断される。
【００２３】
以上が、本画像処理装置における起動から主電源の遮断までの動作であるが、次に、上記主電源スイッチ３５のオフから画像処理装置の電源の遮断までの処理つまり動作終了処理手順について図２〜図１１を参照して説明する。
【００２４】
（第１の動作終了処理手順）
第１の動作終了処理手順は、図１の本実施形態係る画像処理装置において、コントローラ１０が主電源スイッチ３５のオフ信号を検知すると、コントローラ１０のＣＰＵ１１は動作終了処理に要する時間（ｔ１）を計算する。そして、コントローラ１０は予め既定しておいた動作終了処理の既定時間（Ｔ１）と比較して、既定時間内にて動作終了処理が完了できると判断したとき（ｔ１＜Ｔ１）は、そのまま全ての動作終了処理を実施しかつ完了させる。また、既定時間内にて動作終了処理が完了できないと判断したときは（ｔ１＞Ｔ１）、デバイスのデータ保護を目的として必要不可欠、したがって必要最低限の処理であるデバイスへのアクセス禁止処理のみを実施して、リレー制御部３４のリレーをオフして、画像処理装置の供給電源を遮断する。
ここで、デバイスへのアクセス禁止処理のみを実施した場合は、主電源スイッチ３５が再びオンされ、画像処理装置が正常起動した後に、残りの動作終了処理を完了させる。
【００２５】
即ち、図２の動作終了処理フロー図に示すように、動作終了処理手順は、まずユーザが主電源スイッチ３５をオフするによってスタートする。ここで、主電源スイッチのオフ／オンの検出手段であるコントローラ１０が主電源スイッチ３５のオフ信号を検知すると（Ｓ１０１）、コントローラ１０のＣＰＵ１１は主電源オフに伴う動作終了処理時間（ｔ１）を計算する（Ｓ１０２）。そして、コントローラ１０のＣＰＵ１１は、予め既定しておいた動作終了処理の既定時間（Ｔ１）と、上記動作終了処理に要する時間（ｔ１）を比較して（Ｓ１０３）、既定時間内で動作終了処理が完了できると判断したときは（Ｓ１０３、ＹＥＳ）、そのまま全ての動作終了処理を実施し（Ｓ１０４）、実施した後、コントローラ１０の入出力制御ＡＳＩＣ２１を通じてリレー制御部３４のリレーをオフし、画像処理装置への供給電源を遮断する（Ｓ１０５）。
その後主電源スイッチをオンして（Ｓ１０６）、画像処理装置を正常起動する（Ｓ１０７）。
【００２６】
ステップＳ１０３において、コントローラ１０（ＣＰＵ１１）が既定時間内にて動作終了処理が完了できないと判断したときは（Ｓ１０３、ＮＯ）、必要最低限の処理、ここでは、デバイスのデータ保護を目的とした動作終了処理、即ち、デバイスへのアクセス禁止処理のみを実施して（Ｓ１０８）、画像処理装置のリレー制御部３４のリレーをオフして、画像処理装置の供給電源を遮断する（Ｓ１０９）。このように、デバイスへの禁止処理のみを実施した場合は、主電源スイッチ３５がオンされ（Ｓ１１０）、画像処理装置が正常起動した（Ｓ１１１）後、実施されていない残りの動作終了処理を実施して（Ｓ１１２）処理を終了する。
【００２７】
電源遮断処理に当たって、従来の装置では全ての動作処理を電源オフ時に実施しているが、本実施形態の画像処理装置では、上記第１の動作処理手順を実施することにより、所定の必要最低限の処理のみを実施して残りの処理については、ふたたび電源投入時に実施することで、主電源スイッチ３５のオフから電源の遮断までに要する動作終了処理にかかる待ち時間を、所定時間内に収めることで、従来の装置に比して短縮することができる。
【００２８】
（第２の動作終了処理手順）
第２の動作終了処理手順では、既定時間内では動作終了処理が完了できない場合（ｔ１＞Ｔ１）は、動作終了処理内容について、電源遮断前に実施しなければならない処理と電源遮断後に実施してもよい処理をコントローラ１０（ＣＰＵ１１）が判断して、電源遮断前に実施しなければならない処理がある場合は、電源遮断前に実施し、それと共にデバイスへのアクセス禁止処理を実施して画像処理装置のリレー制御部３４のリレーをオフし、画像処理装置への供給電源を遮断する。電源遮断前に実施しなければならない処理がない場合は、デバイスへのアクセス禁止処理のみを実施して、画像処理装置のリレー制御部３４のリレーをオフして、機器の電源を遮断する。
【００２９】
第２の動作終了処理手順を図３にしたがって説明する。
第２の動作終了処理手順のステップＳ２０１からＳ２０７までの処理は、第１の動作終了処理手順のステップＳ１０１からＳ１０７までの処理と同じであるので、その説明は省略する。
【００３０】
ただ、コントローラ１０（ＣＰＵ１１）により、ステップＳ２０３において既定時間内にて動作終了処理が完了できないと判断されたときは（Ｓ２０３、ＮＯ）、動作終了処理内容について、電源遮断前に実施しなければならない処理と電源遮断後に実施してもよい処理について、搭載する機器の構成（予め機器の構成から実施タイミングが電源遮断前後のいずれかに振り分けられる）や当該画像処理装置になされた設定（つまり、動作終了処理についてなされた上記実施タイミングの設定）にしたがって判断し（Ｓ２０８）、電源遮断前に実施しなければならない動作終了処理があれば（Ｓ２０８、ＹＥＳ）、その処理を実施し（Ｓ２０９）、さらにデバイスデータ保護を目的とした動作終了処理つまりデバイスへのアクセス禁止処理を実施し（Ｓ２１０）、次に、コントローラ１０は入出力制御ＡＳＩＣ２１を通じてリレー制御部３４のリレーをオフして、画像処理装置の供給電源を遮断する（Ｓ２１１）。
その後、主電源スイッチ３５がオンされ（Ｓ２１２）、画像処理装置が正常起動した（Ｓ２１３）後に、電源遮断後に実施してもよいとされた残りの処理を実施する（Ｓ２１４）。
【００３１】
ステップＳ２０８において、電源遮断前に実施しなければならない動作終了処理項目がないときは（Ｓ２０８、ＮＯ）、デバイスのデータ保護を目的とした動作終了処理、即ち、デバイスへのアクセス禁止処理のみを実施して（Ｓ２１５）、リレー制御部３４のリレーをオフして、画像処理装置の供給電源を遮断する（Ｓ２１６）。このように、デバイスへの禁止処理のみを実施した場合は、主電源スイッチ３５がオンされ（Ｓ２１７）、画像処理装置が正常起動した（Ｓ２１８）後、電源遮断後に実施してよいとされた残りの動作終了処理（動作終了処理項目）を実施する（Ｓ２１９）。
【００３２】
本実施形態の画像処理装置で第２の動作終了処理手順を実施することにより、電源遮断前に実施しなければならない処理と電源遮断後に実施しなければならない処理を判断して、電源遮断前に実施しなければならない処理についてのみ実施するため動作終了時の処理時間を短くすることができる。
【００３３】
（第３の動作終了処理手順）
第３の動作終了処理手順は、主電源スイッチ３５のオフを検出した後に、既定時間内に動作終了処理が完了しないと判断し、必要最低限の処理のみを完了させて画像処理装置の電源を遮断した場合について、再度、画像処理装置を使用するために主電源スイッチ３５をオンして、正常起動した後に、画像処理装置の動作状況を確認して、動作していないときを選んで残りの処理を行うものである。
【００３４】
次に、上記第３の動作終了処理手順を図４にしたがって説明する。
第３の実施形態における動作終了処理手順は、基本的には第２の実施形態と同様であり、そのステップＳ２１３とＳ２１４の間、及びステップＳ２１８とステップＳ２１９の間に、それぞれ画像処理装置（機器）が処理実施中か否かを判断し（Ｓ３１４、Ｓ３２０）、処理実施中でなければそのまま、処理実施中であるときはその処理が終了してから（Ｓ３１４、ＮＯ、Ｓ３２０、ＮＯ）、それぞれ電源遮断後に実施してもよい動作終了処理を実施する（Ｓ３１５、Ｓ３２１）点が相違しているだけである。
【００３５】
ステップＳ３０１〜Ｓ３０７までの処理は、第１の実施形態のステップＳ１０１からＳ１０７までの処理と同じであるので、その説明を援用し説明は省略する。
ただ、コンとローラ１０（ＣＰＵ１１）がステップＳ３０３において既定時間内にて動作終了処理が完了できないと判断したときは（Ｓ３０３、ＮＯ）、動作終了処理内容について、電源遮断前に実施しなければならない処理と電源遮断後に実施してもよい処理について、前述のように判断し（Ｓ３０８）、電源遮断前に実施しなければならない処理があれば（Ｓ３０８、ＹＥＳ）、電源遮断前に実施しなければならない処理を実施し（Ｓ３０９）、続いてデバイスデータ保護を目的とした動作終了処理つまりデバイスへのアクセス禁止処理を実施して（Ｓ３１０）、次に、コントローラ１０は入出力制御ＡＳＩＣ２１を通じてリレー制御部３４のリレーをオフして、画像処理装置の供給電源を遮断する（Ｓ３１１）。その後、主電源スイッチ３５がオンされ（Ｓ３１２）、画像処理装置が正常起動した（Ｓ３１３）後に、コントローラ１０（ＣＰＵ１１）は画像処理装置が処理実施中か否かを判断し（Ｓ３１４）、処理実施中なければそのまま、処理実施中であるときはその処理が終了してから（Ｓ３１４、ＮＯ）、電源遮断後に実施してもよいとされた残りの処理を実施して（Ｓ３１５）処理を終了する。
【００３６】
ステップＳ３０８において、電源遮断前に実施しなければならない動作終了処理項目がないときは（Ｓ３０８、ＮＯ）、デバイスのデータ保護を目的とした動作終了処理、即ち、デバイスへのアクセス禁止処理のみを実施して（Ｓ３１６）、リレー制御部３４のリレーをオフして、画像処理装置への供給電源を遮断する（Ｓ３１７）。このように、デバイスへの禁止処理のみを実施した場合は、主電源スイッチ３５がオンされ（Ｓ３１８）、画像処理装置が正常起動した（Ｓ３１９）後に、画像処理装置が処理実施中か否かを判断し（Ｓ３２０）、処理実施中でなければそのまま、処理実施中であるときはその処理が終了してから（Ｓ３２０、ＮＯ）、電源遮断後に、実施してよい残りの動作終了処理（動作終了処理項目）を実施する（Ｓ３２１）。
【００３７】
本実施形態の画像処理装置における、第３の動作終了処理手順で再び電源を投入して実施する残りの処理は、常に機器が使用されていない時間帯で実施されるため、上記残りの処理を実施することによる機器のパフォーマンスの低下を防止することができる。
【００３８】
（第４の動作終了処理手順）
第４の動作終了処理手順の特徴は、画像処理装置の主電源スイッチ３５が投入された時に、画像処理装置の機器構成、各機器になされる設定内容を確認する点にあり、画像処理装置の機器の構成については、搭載デバイス（ＨＤＤ１７、ＮＶ−ＲＡＭ２４、フラッシュメモリ）の有無があり、設定内容については、シャットダウン時にログを取得するか否か、コピー、プリント、ファックス送受信後にＨＤＤ１７などのデバイスに格納されたデータを消去するか否かの設定などがあり、その設定情報はＮＶ−ＲＡＭ２４に格納されている。これらの情報から、動作終了時に行う処理内容について画像処理装置が判断して動作終了処理を実施する。
【００３９】
次に、上記第４の実施形態に係る画像処理装置の動作終了処理手順を図５にしたがって説明する。
第４の実施形態における動作終了処理手順は、まず、主電源スイッチをオンすると（Ｓ４０１）、画像処理装置は電源供給されて正常に起動する（Ｓ４０２）。次に、画像処理装置の機器構成及び設定内容を確認し（Ｓ４０３）、動作終了処理内容を決定する（Ｓ４０４）。その後、主電源スイッチ３５のオフ信号をコントローラ１０が検知すると（Ｓ４０５）、コントローラ１０のＣＰＵ１１にて動作終了処理に要する時間（ｔ１）を計算する（Ｓ４０６）。そして、予め既定しておいた動作終了処理の既定時間（Ｔ１）とを比較して（Ｓ４０７）、既定時間内にて動作終了処理が完了できる場合は（Ｓ４０７、ＹＥＳ）、そのまま全ての動作終了処理を実施し（Ｓ４０８）、画像処理装置への供給電源を遮断し（Ｓ４０９）、その後主電源スイッチ３５をオンし（Ｓ４１０）、画像処理装置を正常起動して（Ｓ４１１）処理を完了させる。
【００４０】
ステップＳ４０７において、コントローラ１０（ＣＰＵ１１）が既定時間内にて動作終了処理が完了できないと判断したとき（Ｓ４０７、ＮＯ）、その後の処理、即ちステップＳ４１２〜Ｓ４２５までの処理は、第３の実施形態におけるステップＳ３０８〜Ｓ３２１までの処理と同じであるので、ここでは詳細な説明は省略する。
【００４１】
本実施形態の画像処理装置で第４の動作終了処理手順を実施することにより、画像処理装置の各機器の構成から、必要な処理のみを判断して実施することで、画像処理装置の構成の変更に対してソフトを変更することなく柔軟に対応できかつ、ユーザが選択した必要最低限の処理のみを実施すればよいため動作終了処理効率を向上させることができる。
【００４２】
（第５の動作終了処理手順）
第５の動作終了処理手順は、主電源スイッチ３５のオフを検知した後に行う動作終了処理について、操作部３０の画面上に動作終了処理の処理内容、および処理状況について表示する点に特徴を有する。
【００４３】
次に、上記第５の動作終了処理手順を図６、７にしたがって説明する。
第５の動作終了処理手順は、そのステップＳ５０１〜Ｓ５０８までの処理は、第４の動作終了処理手順におけるステップＳ４０１〜Ｓ４０８までの処理と同様である。
ここで、第５の動作終了処理手順では、動作終了処理を実施した後、操作部３０の表示画面上に動作終了処理内容及び処理状況について表示し（Ｓ５０９）、操作終了処理が完了したとき、その旨を上記表示画面上に表示する（Ｓ５１０）。続いて、画像処理装置のリレー制御部３４のリレーをオフして、画像処理装置への供給電源を遮断し（Ｓ５１１）、その後主電源スイッチをオンし（Ｓ５１２）、画像処理装置を正常起動して（Ｓ５１３）処理を完了させる。
【００４４】
ステップＳ５０７において、コントローラ１０（ＣＰＵ１１）が既定時間内にて動作終了処理が完了できないと判断したときは（Ｓ５０７、ＮＯ）、動作終了処理内容について、電源遮断前に実施しなければならない処理と電源遮断後に実施してもよい処理について、既に述べたように各機器の構成や設定情報に基づき判断して（Ｓ５１４）、電源遮断前に実施しなければならない処理がある場合は（Ｓ５１４、ＹＥＳ）、電源遮断前に実施しなければならない処理を実施し（Ｓ５１５）、操作部３０の表示画面上（例えば液晶表示画面）に処理内容及び処理状況について表示し（Ｓ５１６）、続いてデバイスのデータ保護を目的とした動作終了処理、即ち、デバイスへのアクセス禁止処理を実施して（Ｓ５１７）、操作部３０の表示画面上に処理内容及び処理状況について表示し（Ｓ５１８）、処理が完了したときは表示画面上にその旨を文字或いは記号などで表示する（Ｓ５１９）。その後画像処理装置のリレー制御部３４のリレーをオフして、画像処理装置への供給電源を遮断し（Ｓ５２０）、その後主電源スイッチをオンし（Ｓ５２１）、画像処理装置を正常起動し（Ｓ５２２）、画像処理装置（機器）が処理実施中か否かを判断し（Ｓ５２３）、処理実施中なければそのまま、処理実施中であるときはその処理が終了してから（Ｓ５２３、ＮＯ）、電源遮断後に実施してもよい残りの動作終了処理を実施する（Ｓ５２４）。
【００４５】
ステップＳ５１４において、電源遮断前に実施しなければならない処理がない場合は（Ｓ５１４、ＮＯ）、デバイスのデータ保護を目的とした動作終了処理、即ち、デバイスへのアクセス禁止処理を実施し（Ｓ５２５）、操作部３０の表示画面上に処理内容及び処理状況について表示し（Ｓ５２６）、処理が完了したときは表示画面上にその旨を表示し（Ｓ５２７）、画像処理装置のリレー制御部３４のリレーをオフして、画像処理装置への供給電源を遮断する（Ｓ５２８）。その後、主電源スイッチ３５をオンし（Ｓ５２９）、画像処理装置を正常起動し（Ｓ５３０）、画像処理装置（機器）が処理実施中か否かを判断し（Ｓ５３１）、処理実施中でなければそのまま、処理実施中であるときはその処理が終了してから（Ｓ５３１、ＮＯ）、電源遮断後に実施してもよい残りの動作終了処理を実施する（Ｓ５３２）。
【００４６】
表示手段を備えた操作部３０を持つ画像処理装置において、第５の動作終了処理手順を実施することにより、ユーザへ動作終了の処理内容、及び処理状況について的確に伝えることができる。なお、表示手段は必ずしも可視的表示手段に限らず、音声その他のものであってもよい。したがって、ここで表示手段というときは、これらのものを排除していない。
【００４７】
（第６の動作終了処理手順）
第６の動作終了処理手順は、主電源スイッチ３５のオフを検出したあとの動作終了処理時に、画像処理装置に異常が発生して、動作終了処理が正常に完了できない場合、操作部３０の画面上に、画像処理装置に異常が発生して、動作終了処理が完了出来ない旨のメッセージ等を表示することを特徴とするものである。
第６の動作終了処理手順は、図８に示すように、そのステップＳ６０１〜Ｓ６０８までの処理は、第４の実施形態のステップＳ４０１〜Ｓ４０８までの処理と同様である。
ここで、第６の動作終了処理手順では、動作終了処理を実施した後、操作部３０の表示画面上に動作終了処理内容及び処理状況について表示し（Ｓ６０９）、次に動作終了処理（動作処理）が正常に完了したか否かを判断し（Ｓ６１０）、正常に完了したときは（Ｓ６１０、ＹＥＳ）、操作終了処理が完了したとき、その旨を上記表示画面上に表示する（Ｓ６１１）。続いて、画像処理装置のリレー制御部３４のリレーをオフして、画像処理装置への供給電源を遮断する（Ｓ６１２）。その後主電源スイッチをオンし（Ｓ６１３）、画像処理装置を正常起動して（Ｓ６１４）処理を完了させる。
【００４８】
ステップＳ６０７において、既定時間内にて動作終了処理が完了できない場合は（Ｓ６０７、ＮＯ）、図９に示すように、動作終了処理内容について、電源遮断前に実施しなければならない処理と電源遮断後に実施してもよい処理について判断して（Ｓ６１５）、電源遮断前に実施しなければならない処理がある場合は（Ｓ６１５、ＹＥＳ）、電源遮断前に実施しなければならない処理を実施し（Ｓ６１６）、操作部３０の表示画面上に処理内容及び処理状況について表示し（Ｓ６１７）、続いてデバイスのデータ保護を目的とした動作終了処理、即ち、デバイスへのアクセス禁止処理を実施して（Ｓ６１８）、操作部３０の表示画面上に処理内容及び処理状況について表示する（Ｓ６１９）。ここで、動作終了処理が正常に完了したか否か判断し（Ｓ６２０）、正常に完了したときは（Ｓ６２０、ＹＥＳ）、表示画面上にその旨を表示し（Ｓ６２１）、画像処理装置のリレー制御部３４のリレーをオフして、画像処理装置への供給電源を遮断する（Ｓ６２２）。その後、主電源スイッチ３５をオンし（Ｓ６２３）、画像処理装置を正常起動し（Ｓ６２４）、画像処理装置（機器）が処理実施中か否かを判断し（Ｓ６２５）、処理実施中なければそのまま、処理実施中であるときはその処理が終了してから（Ｓ６２５、ＮＯ）、電源遮断後に実施してもよい残りの動作終了処理を実施する（Ｓ６２６）。
【００４９】
図９のステップＳ６１５において、電源遮断前に実施しなければならない処理がない場合は（Ｓ６１５、ＮＯ）、デバイスのデータ保護を目的とした動作終了処理、即ち、デバイスへのアクセス禁止処理を実施し（Ｓ６２７）、操作部３０の表示画面上に処理内容及び処理状況について表示する（Ｓ６２８）。ここで、動作終了処理が正常に完了したか否か判断し（Ｓ６２９）、正常に完了したときは（Ｓ６２９、ＹＥＳ）、表示画面上にその旨を表示し（Ｓ６３０）、画像処理装置のリレー制御部３４のリレーをオフして、画像処理装置への供給電源を遮断する（Ｓ６３１）。その後、主電源スイッチをオンし（Ｓ６３２）、画像処理装置を正常起動し（Ｓ６３３）、画像処理装置（機器）が処理実施中か否かを判断し（Ｓ６３４）、処理実施中でなければそのまま、処理実施中であるときはその処理が終了してから（Ｓ６３４、ＮＯ）、電源遮断後に実施してもよい残りの動作終了処理を実施する（Ｓ６３５）。
【００５０】
ステップＳ６１０、Ｓ６２０、Ｓ６２９で正常に動作が完了しないときは（Ｓ６１０、ＮＯ）、（Ｓ６２０、ＮＯ）、（Ｓ６２９、ＮＯ）、操作部３０の表示画面上にその旨を表示する（Ｓ６３６）。
【００５１】
表示手段を備えた操作部３０を持つ画像処理装置において、第６の動作終了処理手順を実施することにより、機器の異常発生時に、操作部上に異常が発生していることを表示することで、ユーザへ、画像処理装置の異常を伝えることができる。表示手段については、既に述べたとおりであり、可視的表示に限らず音声、或いは警報などによるものでもよい。
【００５２】
（第７の動作終了処理手順）
第７の動作終了処理手順は、主電源スイッチ３５のオフを検出したあとの動作終了処理について、画像処理装置に異常が発生して、動作終了処理が完了できない場合、ユーザは、オフスイッチ３６を押して、リレー制御部３４のリレーをオフして画像処理装置の電源をオフすることができることを特徴とするものである。
【００５３】
第７の動作終了処理手順は、そのステップＳ７０１〜Ｓ７３６までの処理は、第６の実施形態のステップＳ６０１〜Ｓ６３６までの処理と同様である。
この動作終了処理手順では、ステップＳ７３６で操作部の表示画面上に画像処理装置に異常が発生したことを表示したときは、強制電源オフスイッチ３６により、電源を強制的にオフする処理が追加されている（Ｓ７３７）。
【００５４】
強制的にリレーをオフする強制オフスイッチを搭載した画像処理装置において、第７の動作終了処理手順を実施することにより、機器に異常が発生した場合、ユーザから電源をオフすることができないが、画像処理装置の電源を強制的にオフすることができる。
【符号の説明】
【００５５】
１０・・・コントローラ、１１・・・ＣＰＵ、１２・・・システムメモリ、１３・・・ＮＢ（ノースブリッジ）、１４・・・ＳＢ（サウスブリッジ）、１５・・・コントローラＡＳＩＣ、１６・・・ローカルメモリ、１７・・・ＨＤＤ、１８・・・ＮＩＣ、１９・・・ＵＳＢ、２０・・・ＩＥＥＥ１２８４インターフェース、２１・・・入出力制御ＡＳＩＣ、２４・・・ＮＶ―ＲＡＭ、３０・・・操作部、３１・・・ＦＣＵ、３２・・・エンジン部、３４・・・リレー制御部、３５・・・主電源スイッチ、３６・・・オフスイッチ、３７・・・ＰＳＵ。
【先行技術文献】
【特許文献】
【００５６】
【特許文献１】特開２００６−７２９７２号公報
【図１】
2011049624.tif 000003
【図２】
2011049624.tif 000004
【図３】
2011049624.tif 000005
【図４】
2011049624.tif 000006
【図５】
2011049624.tif 000007
【図６】
2011049624.tif 000008
【図７】
2011049624.tif 000009
【図８】
2011049624.tif 000010
【図９】
2011049624.tif 000011
【図１０】
2011049624.tif 000012
【図１１】
2011049624.tif 000013